【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
各地点もしくは領域の各実況映像をそれぞれ取得する実況映像取得手段と、
所望の映像又は図に基づいて得られる希望データに基づいて、「前記希望データに適合する、１つ若しくは複数の実況映像又はそれに対応する１つ若しくは複数の地点もしくは領域」を、検索、抽出又は特定する実況映像等検索手段と、
を少なくとも含むことを特徴とする、実況映像提供システム。
【請求項２】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ若しくは複数の映像又は図」を示す若しくは特定する情報を、ユーザー側通信端末を構成する入力手段側から、直接に又は他の手段を介して取得または受信する図等取得手段と、
少なくとも前記取得または受信された「１つ若しくは複数の映像又は図を示す若しくは特定する情報」に基づいて、「前記『映像又は図』に適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し、又は略リアルタイムにユーザー側通信端末に出力させる実況映像等送信手段と、
を少なくとも含むことを特徴とする、実況映像提供システム。
【請求項３】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ又は複数の映像又は図」に基づいて得られる希望データを、ユーザー側通信端末から、取得または受信する希望データ取得手段と、
少なくとも前記取得又は受信された希望データに基づいて、「前記希望データに適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し又は略リアルタイムにユーザー側通信端末に出力させる実況映像等送信手段と、
を少なくとも含むことを特徴とする、実況映像提供システム。
【請求項４】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ若しくは複数の映像又は図」を示す若しくは特定する情報を、ユーザー側通信端末を構成する入力手段側から、直接に又は他の手段を介して取得または受信する図等取得手段と、
少なくとも前記取得または受信された「１つ若しくは複数の映像又は図を示す若しくは特定する情報」に基づいて、「前記『映像又は図』に適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し、又は略リアルタイムにユーザー側通信端末に出力させる実況映像等送信手段と、
を少なくとも含むことを特徴とする、実況映像提供システム。
【請求項５】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ又は複数の映像又は図」に基づいて得られる希望データを、ユーザー側通信端末から、取得または受信する希望データ取得手段と、
少なくとも前記取得又は受信された希望データに基づいて、「前記希望データに適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し又は略リアルタイムにユーザー側通信端末に出力させる実況映像等送信手段と、
を少なくとも含むことを特徴とする、実況映像提供システム。
【請求項６】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ若しくは複数の映像又は図」を示す若しくは特定する情報を、ユーザー側通信端末を構成する入力手段側から、直接に又は他の手段を介して取得または受信する図等取得手段と、
少なくとも前記取得または受信された「１つ若しくは複数の映像又は図を示す若しくは特定する情報」に基づいて、「前記『映像又は図』に適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し、又は略リアルタイムにユーザー側通信端末に出力させる実況映像等送信手段と、
を少なくとも含むことを特徴とする、実況映像提供システム。
【請求項７】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ又は複数の映像又は図」に基づいて得られる希望データを、ユーザー側通信端末から、取得または受信する希望データ取得手段と、
少なくとも前記取得又は受信された希望データに基づいて、「前記希望データに適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し又は略リアルタイムにユーザー側通信端末に出力させる実況映像等送信手段と、
を少なくとも含むことを特徴とする、実況映像提供システム。
【請求項８】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ若しくは複数の映像又は図」を示す若しくは特定する情報を、ユーザー側通信端末を構成する入力手段側から、直接に又は他の手段を介して取得または受信する図等取得手段と、
少なくとも前記取得または受信された「１つ若しくは複数の映像又は図を示す若しくは特定する情報」に基づいて、「前記『映像又は図』に適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し、又は略リアルタイムにユーザー側通信端末に出力させる実況映像等送信手段と、
を少なくとも含むことを特徴とする、実況映像提供システム。
【請求項９】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ又は複数の映像又は図」に基づいて得られる希望データを、ユーザー側通信端末から、取得または受信する希望データ取得手段と、
少なくとも前記取得又は受信された希望データに基づいて、「前記希望データに適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し又は略リアルタイムにユーザー側通信端末に出力させる実況映像等送信手段と、
を少なくとも含むことを特徴とする、実況映像提供システム。
【請求項１０】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ若しくは複数の映像又は図」を示す若しくは特定する情報を、ユーザー側通信端末を構成する入力手段側から、直接に又は他の手段を介して取得または受信する図等取得手段と、
少なくとも前記取得または受信された「１つ若しくは複数の映像又は図を示す若しくは特定する情報」に基づいて、「前記『映像又は図』に適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し、又は略リアルタイムにユーザー側通信端末に出力させる実況映像等送信手段と、
を少なくとも含むことを特徴とする、実況映像提供システム。
【請求項１１】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ又は複数の映像又は図」に基づいて得られる希望データを、ユーザー側通信端末から、取得または受信する希望データ取得手段と、
少なくとも前記取得又は受信された希望データに基づいて、「前記希望データに適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し又は略リアルタイムにユーザー側通信端末に出力させる実況映像等送信手段と、
を少なくとも含むことを特徴とする、実況映像提供システム。
【請求項１２】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ若しくは複数の映像又は図」を示す若しくは特定する情報を、ユーザー側通信端末を構成する入力手段側から、直接に又は他の手段を介して取得または受信する図等取得手段と、
少なくとも前記取得または受信された「１つ若しくは複数の映像又は図を示す若しくは特定する情報」に基づいて、「前記『映像又は図』に適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し、又は略リアルタイムにユーザー側通信端末に出力させる実況映像等送信手段と、
を少なくとも含むことを特徴とする、実況映像提供システム。
【請求項１３】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ又は複数の映像又は図」に基づいて得られる希望データを、ユーザー側通信端末から、取得または受信する希望データ取得手段と、
少なくとも前記取得又は受信された希望データに基づいて、「前記希望データに適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し又は略リアルタイムにユーザー側通信端末に出力させる実況映像等送信手段と、
を少なくとも含むことを特徴とする、実況映像提供システム。
【請求項１４】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ若しくは複数の映像又は図」を示す若しくは特定する情報を、ユーザー側通信端末を構成する入力手段側から、直接に又は他の手段を介して取得または受信する図等取得手段と、
少なくとも前記取得または受信された「１つ若しくは複数の映像又は図を示す若しくは特定する情報」に基づいて、「前記『映像又は図』に適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し、又は略リアルタイムにユーザー側通信端末に出力させる実況映像等送信手段と、
を少なくとも含むことを特徴とする、実況映像提供システム。
【請求項１５】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ又は複数の映像又は図」に基づいて得られる希望データを、ユーザー側通信端末から、取得または受信する希望データ取得手段と、
少なくとも前記取得又は受信された希望データに基づいて、「前記希望データに適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し又は略リアルタイムにユーザー側通信端末に出力させる実況映像等送信手段と、
を少なくとも含むことを特徴とする、実況映像提供システム。
【請求項１６】
各地点もしくは領域の各実況映像をそれぞれ取得する実況映像取得手段と、
複数の「それ自体が、１つ若しくは複数の実況映像又はそれに対応する１つ若しくは複数の地点もしくは領域を検索、抽出又は特定するためのキーとなり得る、映像又は図」の中から、「自らが希望する１つ若しくは複数の実況映像又はそれに対応する１つ若しくは複数の地点もしくは領域を、検索、抽出又は特定するための、映像又は図」としてユーザーが選択又は指定した「１つ若しくは複数の映像又は図」を示す若しくは特定する情報を、ユーザー側通信端末を構成する入力手段側から、直接に又は他の手段を介して取得または受信する図等取得手段と、
少なくとも前記取得または受信された「１つ若しくは複数の映像又は図を示す若しくは特定する情報」に基づいて、「前記『映像又は図』に適合する、１つ若しくは複数の実況映像又はそれに対応する１つ若しくは複数の地点もしくは領域」を、検索、抽出又は特定する実況映像等検索手段と、
前記各実況映像取得手段により取得された各実況映像の中の、前記実況映像等検索手段により検索等された実況映像又は前記実況映像等検索手段により検索等された地点もしくは領域の実況映像を、又は前記検索等された実況映像を取り込むために必要な情報（ＵＲＬなどの情報）を、前記実況映像がユーザー側で略リアルタイムに表示されるようにオンラインで略リアルタイムにユーザー側通信端末に送信し、又は略リアルタイムにユーザー側通信端末に出力させる実況映像等送信手段と、
を少なくとも含むことを特徴とする、実況映像提供システム。